(57)【要約】      （修正有）【課題】分解した提灯をコンパクトに包装することができる提灯を提供する。【解決手段】火袋１の拡開状態Ｐでは、火袋１に挿通された支柱４が上開口部２と下開口部３とを着脱可能に支持し、支柱４においては、火袋１内で光源２７を着脱可能に取り付けるとともに、下開口部３に着脱可能に係止された台部１２で互いに分離可能な複数の交差部１３，１４を上下方向Ｚの周囲で周方向へ互いに間隔をあけて並べて互いに交差させた状態で着脱可能に連結して配設している。火袋１の収縮状態では、互いに分離した各交差部１３，１４を重ねて平坦にまとめることにより台部１２をコンパクトにして、支柱４及びその台部１２における各交差部１３，１４を火袋１から離脱して収縮状態の火袋１に対し上下方向Ｚで重合させ得る。【効果】【選択図】図１
0003152434.tif 000002
【実用新案登録請求の範囲】
【請求項１】
火袋に上開口部と下開口部とを上下方向で相対向して形成し、その上開口部と下開口部とを互いに離間させて上下方向へ広げられた火袋の拡開状態では、その上開口部と下開口部との間で火袋に挿通されてその上開口部と下開口部とを着脱可能に支持する支柱において、火袋内で光源を着脱可能に取り付けるとともに、下開口部に着脱可能に係止された台部で、互いに分離可能な複数の交差部を上下方向の周囲で周方向へ互いに間隔をあけて並べて互いに交差させた状態で着脱可能に連結して配設し、
その上開口部と下開口部とを互いに接近させて上下方向へ狭められた火袋の収縮状態では、支柱及びその台部における各交差部を火袋から離脱して収縮状態の火袋に対し上下方向で重合させ得る
ことを特徴とする提灯。
【請求項２】
上下方向で相対向して形成した上開口部と下開口部とを有し、その上開口部と下開口部とを互いに離間させて上下方向へ広げられる拡開状態と、その上開口部と下開口部とを互いに接近させて上下方向へ狭められる収縮状態とを取り得る火袋と、
その上開口部と下開口部との間で火袋に挿通され、上開口部に嵌め込まれて着脱可能に係止される上支持部と、下開口部に嵌め込まれて着脱可能に係止される下支持部と、この上支持部と下支持部との間に設けた支柱本体と、この下支持部よりも内側の火袋内で光源を着脱可能に取り付ける収容部とを設けた支柱とを備え、
前記火袋に支柱を組み付けた組付状態では、拡開状態の火袋において、支柱の上支持部が上開口部に嵌め込まれて係止されるとともに、支柱の下支持部が下開口部に嵌め込まれて係止され、光源が収容部に取り付けられ、その下支持部に設けた台部で複数の交差部が上下方向の周囲で周方向へ互いに間隔をあけて並べて互いに交差させた状態で配設され、
前記火袋から支柱を分解した分解状態では、収縮状態の火袋において、支柱の上支持部が上開口部から離脱されるとともに、支柱の下支持部が下開口部から離脱され、光源が収容部から離脱され、前記上支持部と下支持部と支柱本体とを有する支柱と、その下支持部の台部における各交差部とを収縮状態の火袋に対し上下方向で重合させ得る
ことを特徴とする提灯。
【請求項３】
前記台部は、支柱本体の下端部側に設けた第一の交差部と、その第一の交差部に対し前記支柱の分解状態で分離可能にした第二の交差部とを有し、前記支柱の組付状態でこの第二の交差部はこの第一の交差部に対し互いに交差して着脱可能に連結されることを特徴とする請求項２に記載の提灯。
【請求項４】
前記第一の交差部と第二の交差部とは、それぞれ一つであって、前記支柱の組付状態で互いに十字状に交差して連結されることを特徴とする請求項３に記載の提灯。
【請求項５】
前記支柱本体及び第一の交差部と、その第一の交差部に対し分離可能な第二の交差部とは、それぞれ、シート状をなすことを特徴とする請求項３または請求項４に記載の提灯。
【請求項６】
前記光源の収容部は、前記支柱の組付状態で台部において第一の交差部と第二の交差部とに設けた収容孔を有していることを特徴とする請求項３または請求項４または請求項５に記載の提灯。
【請求項７】
前記支柱の上支持部には前記火袋の拡開状態で上下方向のうち少なくとも下開口部側へ上開口部が移動しないように上開口部を係止する係止部を設け、前記支柱の下支持部には前記火袋の拡開状態で上下方向の両側へ下開口部が移動しないように下開口部を係止する係止部を設けたことを特徴とする請求項２から請求項６のうちいずれか一つの請求項に記載の提灯。
【請求項８】
前記支柱本体は光源の上方で通光孔を有していることを特徴とする請求項２から請求項７のうちいずれか一つの請求項に記載の提灯。
【請求項９】
前記上支持部は把持部または吊下部を有していることを特徴とする請求項２から請求項８のうちいずれか一つの請求項に記載の提灯。
【考案の詳細な説明】
【技術分野】
【０００１】
本考案は分解可能な提灯に関するものである。
【背景技術】
【０００２】
従来の提灯においては、火袋に上開口部と下開口部とが上下方向で相対向して形成され、その上開口部と下開口部とを互いに離間させて上下方向へ広げられた火袋の拡開状態で、その上開口部と下開口部との間で火袋に支柱が挿通されている。その支柱においては、火袋の下開口部を支える台部に対し、頭部に取着された支柱本体の各柱部の下端部と各脚部の上端部とが着脱可能に連結される（下記特許文献１参照）。
【先行技術文献】
【特許文献】
【０００３】
【特許文献１】特開２００２−３１９３０１号公報
【考案の概要】
【考案が解決しようとする課題】
【０００４】
従来の提灯において、火袋と頭部と支柱本体の各柱部と台部と各脚部とは分解することはできるが、上開口部と下開口部とを互いに接近させて上下方向へ狭められた火袋の収縮状態で、その火袋と頭部と支柱本体の各柱部と台部と各脚部とを重ねる際に、特に台部は一枚の板で形成されていることもあって、それらが嵩張り易くなり、それらをコンパクトに包装することは何ら考慮されていないばかりでなく、実際にコンパクトに包装することも難しい。
【０００５】
この考案は、分解した提灯をコンパクトに包装し得るように改良することを目的としている。
【課題を解決するための手段】
【０００６】
後記実施形態の図面（図１〜６）の符号を援用して本考案を説明する。
請求項１の考案にかかる提灯は、下記のように構成されている。
火袋１には上開口部２と下開口部３とを上下方向Ｚで相対向して形成している。その上開口部２と下開口部３とを互いに離間させて上下方向Ｚへ広げられた火袋１の拡開状態Ｐでは、その上開口部２と下開口部３との間で火袋１に支柱４が挿通されてその上開口部２と下開口部３とを着脱可能に支持し、その支柱４においては、火袋１内で光源２７を着脱可能に取り付けるとともに、下開口部２に着脱可能に係止された台部１２で、互いに分離可能な複数の交差部１３，１４を上下方向Ｚの周囲で周方向へ互いに間隔をあけて並べて互いに交差させた状態で着脱可能に連結して配設している。その上開口部２と下開口部３とを互いに接近させて上下方向Ｚへ狭められた火袋１の収縮状態Ｑでは、支柱４及びその台部１２における各交差部１３，１４を火袋１から離脱して収縮状態Ｑの火袋１に対し上下方向Ｚで重合させ得る。
【０００７】
請求項１の考案において、支柱４の台部１２は互いに分離可能な複数の交差部１３，１４を上下方向Ｚの周囲で周方向へ互いに間隔をあけて並べて互いに交差させた状態で着脱可能に連結して配設されているので、互いに分離した各交差部１３，１４を重ねて平坦にまとめることにより、台部１２をコンパクトにして、支柱４とその台部１２における各交差部１３，１４を収縮状態Ｑの火袋１に対し上下方向Ｚでコンパクトに重合させることができる。
【０００８】
請求項２の考案にかかる提灯は、下記のように構成されている。
提灯は火袋１と支柱４とを備えている。火袋１は、上下方向Ｚで相対向して形成した上開口部２と下開口部３とを有し、その上開口部２と下開口部３とを互いに離間させて上下方向Ｚへ広げられる拡開状態Ｐと、その上開口部２と下開口部３とを互いに接近させて上下方向Ｚへ狭められる収縮状態Ｑとを取り得る。支柱４は、その上開口部２と下開口部３との間で火袋１に挿通され、上開口部２に嵌め込まれて着脱可能に係止される上支持部５と、下開口部３に嵌め込まれて着脱可能に係止される下支持部６と、この上支持部５と下支持部６との間に設けた支柱本体７と、この下支持部６よりも内側の火袋１内で光源２７を着脱可能に取り付ける収容部２８とを有している。前記火袋１に支柱４を組み付けた組付状態Ａでは、拡開状態Ｐの火袋１において、支柱４の上支持部５が上開口部２に嵌め込まれて係止されるとともに、支柱４の下支持部６が下開口部３に嵌め込まれて係止され、光源２７が収容部２８に取り付けられ、その下支持部６に設けた台部１２で複数の交差部１３，１４が上下方向Ｚの周囲で周方向へ互いに間隔をあけて並べて互いに交差させた状態で配設されている。前記火袋１から支柱４を分解した分解状態Ｂでは、収縮状態Ｑの火袋１において、支柱４の上支持部５が上開口部２から離脱されるとともに、支柱４の下支持部６が下開口部３から離脱され、光源２７が収容部２８から離脱され、前記上支持部５と下支持部６と支柱本体７とを有する支柱４と、その下支持部６の台部１２における各交差部１３，１４とが収縮状態Ｑの火袋１に対し上下方向Ｚで重合させ得る。
【０００９】
請求項２の考案において、支柱４の台部１２は複数の交差部１３，１４を上下方向Ｚの周囲で周方向へ互いに間隔をあけて並べて互いに交差させた状態で配設されているので、例えば、互いに着脱可能に連結された各交差部１３，１４を分離したり、互いに折曲可能に連結された各交差部１３，１４を折り曲げて折り畳んだりすることが可能となり、各交差部１３，１４を互いに重ねて平坦にまとめることにより、台部１２をコンパクトにして、支柱４及びその台部１２における各交差部１３，１４を収縮状態Ｑの火袋１に対し上下方向Ｚでコンパクトに重合させることができる。
【００１０】
請求項２の考案を前提とする請求項３の考案において、前記台部１２は、支柱本体７の下端部側に設けた第一の交差部１３と、その第一の交差部１３に対し前記支柱４の分解状態Ｂで分離可能にした第二の交差部１４とを有し、前記支柱４の組付状態Ａでこの第二の交差部１４はこの第一の交差部１３に対し互いに交差して着脱可能に連結される。請求項３の考案では、互いに着脱可能に連結された各交差部１３，１４を分離して各交差部１３，１４を互いに重ねて平坦にまとめることにより、台部１２をコンパクトにして、支柱４及びその台部１２における各交差部１３，１４を収縮状態Ｑの火袋１に対し上下方向Ｚでコンパクトに重合させることができる。
【００１１】
請求項３の考案を前提とする請求項４の考案において、前記第一の交差部１３と第二の交差部１４とは、それぞれ一つであって、前記支柱４の組付状態Ａで互いに十字状に交差して連結される。請求項４の考案では、十字状に交差して連結される第一の交差部１３と第二の交差部１４とにより台部１２をより一層コンパクトにすることができる。
【００１２】
請求項３または請求項４の考案を前提とする請求項５の考案において、前記支柱本体７及び第一の交差部１３と、その第一の交差部１３に対し分離可能な第二の交差部１４とは、それぞれ、シート状をなす。請求項５の考案では、シート状をなす支柱本体７及び第一の交差部１３と第二の交差部１４とにより、支柱４及びその台部１２における各交差部１３，１４を収縮状態Ｑの火袋１に対し上下方向Ｚでより一層コンパクトに重合させることができる。
【００１３】
請求項３または請求項４または請求項５の考案を前提とする請求項６の考案において、前記光源２７の収容部２８は、前記支柱４の組付状態Ａで台部１２において第一の交差部１３と第二の交差部１４とに設けた収容孔２０，２５を有している。請求項６の考案では、台部１２の各交差部１３，１４に設けた収容孔２０，２５により光源２７をコンパクトに収容することができる。
【００１４】
請求項２から請求項６のうちいずれか一つの請求項の考案を前提とする請求項７の考案において、前記支柱４の上支持部５には前記火袋１の拡開状態Ｐで上下方向Ｚのうち少なくとも下開口部３側へ上開口部２が移動しないように上開口部２を係止する係止部１６を設け、前記支柱４の下支持部６には前記火袋１の拡開状態Ｐで上下方向Ｚの両側へ下開口部３が移動しないように下開口部３を係止する係止部１９，２３を設けている。請求項７の考案では、拡開状態Ｐの火袋１が支柱４に対し不用意に上下方向Ｚへ動いて収縮及び拡開することを防止することができる。
【００１５】
請求項２から請求項７のうちいずれか一つの請求項の考案を前提とする請求項８の考案において、前記支柱本体７は光源２７の上方で通光孔１１を有している。請求項８の考案では、光源２７からの光が支柱本体７の通光孔１１を通して火袋１の全体を照らすことができる。
【００１６】
請求項２から請求項８のうちいずれか一つの請求項の考案を前提とする請求項９の考案において、前記上支持部５は把持部１５または吊下部１５を有している。請求項９の考案では、上支持部５の把持部１５や吊下部１５により提灯を容易に把持したり吊下したりすることができる。
【考案の効果】
【００１７】
本考案は、分解した提灯を例えばレター提灯としてコンパクトに包装することができる。
【図面の簡単な説明】
【００１８】
【図１】（ａ）は本実施形態にかかる提灯において拡開状態の火袋に対する支柱の組付状態を正面側から見た断面図であり、（ｂ）は同じく側面側から見た断面図である。
【図２】上記提灯の支柱の組付状態を示す斜視図である。
【図３】（ａ）は分解した支柱の一部品を示す正面図であり、（ａ）は分解した支柱の別の一部品を示す側面図である。
【図４】上記提灯の光源を示す斜視図である。
【図５】（ａ）は上記提灯の火袋の収縮状態を示す平面図であり、（ｂ）は同じく正面図である。
【図６】上記提灯において火袋に対する支柱の分解状態で収縮状態の火袋に対し分解した支柱を上下方向で重合させた包装状態を示す正面図である。
【考案を実施するための形態】
【００１９】
以下、本考案の一実施形態にかかる提灯について図１〜６を参照して説明する。
図１に示す拡開状態Ｐの火袋１は、略球状をなし、上下方向Ｚで相対向して形成された円形状の上開口部２と下開口部３とを有し、その上開口部２と下開口部３とを互いに離間させて上下方向Ｚへ広げられている。その上開口部２と下開口部３との間で拡開状態Ｐの火袋１に挿通された組付状態Ａの支柱４は、図１，２に示すように、上開口部２に嵌め込まれた上支持部５と、下開口部３に嵌め込まれた下支持部６と、この上支持部５と下支持部６との間で枠状に設けられた支柱本体７とを有している。この支柱本体７には、上枠部８と、左右方向Ｙの両側で相対向する両枠部９と、左右両突部１０ａ間で開放部１０ｂを有する下枠部１０との間で通光孔１１が前後方向Ｘへ貫設されている。この上支持部５は支柱本体７の上枠部８側に一体に設けられている。この下支持部６に設けられた台部１２は、支柱本体７の下枠部１０側に一体に設けられた一つの第一の交差部１３と、その第一の交差部１３に対し十字状に交差して連結された一つの第二の交差部１４とからなる。この上支持部５と支柱本体７と第一の交差部１３とにより、それらの前後方向Ｘの両側の面が平坦になる一枚のシート状をなすとともに、この第二の交差部１４により、その左右方向Ｙの両側の面が平坦になる一枚のシート状をなす。この上支持部５においては、把持部及び吊下部を兼用する頭部１５が支柱本体７の上枠部８から上開口部２を通って上方へ突出し、この頭部１５には透孔１５ａが前後方向Ｘへ貫設され、この頭部１５の左右両側には支柱本体７の上枠部８との間で係止段部１６（係止部）が形成されている。この係止段部１６が火袋１の上開口部２の内周縁部２ａに係止されて火袋１の下開口部３側への上開口部２の移動を規制する。
【００２０】
この下支持部６における台部１２の第一の交差部１３においては、下縁部の左右両側に脚部１７が下方へ突設されているとともに、その左右両脚部１７間の中央部で下縁部には前後方向Ｘへ貫設された切込み１８（図３参照）が上下方向Ｚへ延びるように形成されてその下縁部側に開放され、左右両縁部の下端側には係止凸部１９（係止部）が左右両脚部１７に連続するように突設されている。また、その切込み１８の上方で第一の交差部１３に収容孔２０が前後方向Ｘへ貫設されて前記支柱本体７の通光孔１１に開放部１０ｂを介して連通している。この係止凸部１９が火袋１の下開口部３の内周縁部３ａに係止されて火袋１の上開口部２側への下開口部３の移動を規制する。
【００２１】
この台部１２の第二の交差部１４においては、下縁部の前後両側に脚部２１が下方へ突設され、前後両縁部の下端側には上下一対の係止凸部２２（係止部）が前後両脚部２１に連続するように突設されているとともに、この上下両係止凸部２２間に係止凹部２３（係止部）が形成されている。この係止凹部２３に火袋１の下開口部３の内周縁部３ａが係入されてそれらの上下両係止凸部２２により下開口部３が上下方向Ｚの両側へ移動しないように規制する。また、前後両縁部に沿って上方へ延設された前後両腕２４間で収容孔２５が形成されて上方へ開放された開放部２５ａで前記支柱本体７の通光孔１１に連通し、この前後両腕２４間の中央部で収容孔２５の底縁部には左右方向Ｙへ貫設された切込み２６（図３参照）が上下方向Ｚへ延びるように形成されてその底縁部側に開放されている。
【００２２】
この第二の交差部１４の切込み２６と前記第一の交差部１３の切込み１８とが上下方向Ｚで互いに嵌め込まれて、第一の交差部１３に対し第二の交差部１４が下方から十字状に交差されて着脱可能に連結され、それらの交差部１３，１４が上下方向Ｚの周囲で周方向へ互いに９０度の間隔をあけて並ぶ。光源２７は、例えば市販のカップ蝋燭型ＬＥＤであって、第一の交差部１３の収容孔２０と第二の交差部１４の収容孔２５とそれらの収容孔２０，２５間を周方向で互いに連続させる空間とからなる収容部２８に嵌め込まれ、その光源２７の上面から上方へ突出する投光部２７ａが開放部１０ｂ，２５ａから前記支柱本体７の通光孔１１に露出する。光源２７の投光部２７ａから投光された光は、通光孔１１等を通って支柱４の前後両側にも行き渡って火袋１の内側全体を照らす。
【００２３】
拡開状態Ｐの火袋１の上開口部２を広げて支柱４の上支持部５の係止段部１６に対し上開口部２の内周縁部２ａを離脱させるとともに、拡開状態Ｐの火袋１の下開口部３を広げて支柱４の下支持部６の係止凸部１９及び係止凹部２３に対し下開口部３の内周縁部３ａを離脱させて、火袋１から支柱４を抜き、さらに、下支持部６の台部１２で第一の交差部１３の切込み１８と第二の交差部１４の切込み２６とを互いに離脱させて、第一の交差部１３と第二の交差部１４とを互いに分離させると、図３に示すように支柱４を分解した分解状態Ｂとすることができる。その際、図４に示すように光源２７も支柱４の収容部２８から分離することができるとともに、図５に示すように火袋１はその上開口部２と下開口部３とを互いに接近させて上下方向Ｚへ狭めた収縮状態Ｑとすることができる。従って、図３に示すように分解状態Ｂにある支柱４において上支持部５と支柱本体７と第一の交差部１３とからなる一枚のシートと一枚のシート状の第二の交差部１４とを収縮状態Ｑの火袋１に対し図６に示すように上下方向Ｚで重合させた包装状態Ｃとすることができる。
【００２４】
本実施形態は下記の効果を有する。
（１）  支柱４の組付状態Ａにおいて、その台部１２は互いに分離可能な各交差部１３，１４を上下方向Ｚの周囲で周方向へ互いに間隔をあけて並べて互いに十字状に交差させた状態で着脱可能に連結して配設されている。そのため、支柱４の分解状態Ｂにおいて、互いに分離したシート状の各交差部１３，１４を重ねて平坦にまとめることにより、台部１２を嵩張らずにコンパクトにすることができる。従って、上支持部５と支柱本体７と第一の交差部１３とからなる一枚のシートと一枚のシート状の第二の交差部１４とを収縮状態Ｑの火袋１に対し上下方向Ｚでコンパクトに重合させることができ、図６に示すように分解して包装状態Ｃにある提灯を例えばレター提灯として光源２７とともにコンパクトに包装することができる。
【００２５】
（２）  支柱４の組付状態Ａで台部１２において第一の交差部１３と第二の交差部１４とに設けた収容孔２０，２５を収容部２８の一部として利用することにより、光源２７をコンパクトに収容することができる。
【００２６】
（３）  支柱４の上支持部５に設けた係止段部１６により拡開状態Ｐの火袋１の上開口部２の移動を規制するとともに、支柱４の下支持部６に設けた係止凸部１９及び係止凹部２３とにより拡開状態Ｐの火袋１の下開口部３の移動を規制して、拡開状態Ｐの火袋１が支柱４に対し不用意に上下方向Ｚへ動いて収縮及び拡開することを防止することができる。
【００２７】
（４）  光源２７からの光が支柱本体７の通光孔１１等を通して火袋１の内側全体を照らすことができる。
（５）  支柱４の上支持部５に設けた頭部１５により提灯を容易に把持したり吊下したりすることができる。
【００２８】
前記実施形態以外にも例えば下記のように構成してもよい。
・  前記実施形態では台部１２の各交差部１３，１４を互いに分離可能にしたが、支柱の組付状態で各交差部を十字状に交差させて連結した台部において、支柱の分解状態でシート状の各交差部を互いに折り畳み可能にすることにより、その各交差部を互いに重ねた平坦な台部にすることができる。
【００２９】
・  台部の交差部の数については、支柱４の組付状態Ａで一つの第一の交差部１３と一つの第二の交差部１４とにより十字状をなす台部１２以外に、一つの第一の交差部と二つの第二の交差部とにより周方向へ互いに６０度の間隔をあけて並ぶように配設したりして、適宜変更してもよい。
【００３０】
・  火袋１の上開口部２に対する支柱の係止部については、火袋１の下開口部３に対する支柱の係止部と同様に、火袋の拡開状態で上下方向の両側へ上開口部が移動しないように上開口部を係止するようにしてもよい。
【００３１】
・  光源２７については、市販のカップ蝋燭型ＬＥＤ以外に、通常利用されている各種光源に変更することができる。
・  火袋１の形態については、球以外の各種形態に変更することができる。
【符号の説明】
【００３２】
１…火袋、２…火袋の上開口部、３…火袋の下開口部、４…支柱、５…支柱の上支持部、６…支柱の下支持部、７…支柱の支柱本体、１１…支柱本体の通光孔、１２…下支持部の台部、１３…台部の第一の交差部、１４…台部の第二の交差部、１６…係止部としての係止段部、１９…係止部としての係止凸部、２３…係止部としての係止凹部、２０…第一の交差部の収容孔、２５…第二の交差部の収容孔、２７…光源、２８…光源の収容部、Ｐ…火袋の拡開状態、Ｑ…火袋の収縮状態、Ａ…支柱の組付状態、Ｂ…支柱の分解状態、Ｚ…上下方向。
【図１】
0003152434.tif 000003
【図２】
0003152434.tif 000004
【図３】
0003152434.tif 000005
【図４】
0003152434.tif 000006
【図５】
0003152434.tif 000007
【図６】
0003152434.tif 000008